(57)【要約】      （修正有）【課題】携帯型音楽再生機器用のイヤホンコード等を携帯する際にコードがずれたり外れたりせず、アクセサリ機能を有し、装飾性を高めたコードホルダを提供する。【解決手段】柔軟性を有した合成樹脂材により細長に一体形成されたホルダ本体２を略中央で折り畳み自在にして一片側をコード巻付け部３、他片側をキャラクタ表示部４とし、少なくともコード巻付け部３内に、このコード巻付け部３よりも小サイズで硬質の板状芯体を収納してコード巻付け部３の両側部３ｃ，３ｄに柔軟性を生じさせ、キャラクタ表示部４にマスコット等を含むキャラクタ１０を表示してなる。【選択図】図１
0003162029.tif 000002
【実用新案登録請求の範囲】
【請求項１】
柔軟性を有した合成樹脂材により細長に一体形成されたホルダ本体を略中央で折り畳み自在にして一片側をコード巻付け部、他片側をキャラクタ表示部とし、少なくとも前記コード巻付け部内部に、このコード巻付け部よりも小サイズで硬質の板状芯体を収納すると共に、コード巻付け部の両側縁は柔軟性を保持して扁平に形成され、前記キャラクタ表示部にマスコット等を含むキャラクタを表示してなることを特徴とするコードホルダ。
【請求項２】
前記コード巻付け部の両側縁に、切れ込みを複数形成して前記コードを係止する係止溝を設けてなる請求項１に記載のコードホルダ。
【請求項３】
前記キャラクタ表示部の外形を、前記キャラクタやマスコットの形状に模して形成してなる請求項１又は請求項２に記載のコードホルダ。
【請求項４】
前記キャラクタ表示部は、前記コード巻付け部に前記コードを巻き付け、前記ホルダ本体を折り畳んで両片を重ねたとき、巻き付けたコードの略全体を覆う大きさに形成してなる請求項１から請求項３のいずれかに記載のコードホルダ。
【考案の詳細な説明】
【技術分野】
【０００１】
本考案は、携帯型音響機器に用いられるイヤホン等のコードを収納するコードホルダに係り、特に、イヤホンコードをコンパクトに収納し携帯時にはキャラクタ等の表示も可能なコードホルダに関する。
【背景技術】
【０００２】
従来、携帯型の音響機器に使用されるイヤホン等は、通常、コードが長いことから、直接ポケットやバッグに入れたり、収納具に巻き取って携帯するようにしている。しかし、イヤホンを使用する際にコードの取り出しや収納が頻繁であったり、携帯時の体裁が良くない等の理由からコードを収納する用具が各種提案されている。
【０００３】
その一例として、ポケットタイプ機器の収納ケースが知られている（特許文献１参照）。この収納ケースは、ケース本体の正面または背面に化粧皮革を支持部材で間隔をとって取り付け、支持部材にイヤホンコードを巻き付けて、ケース本体と化粧皮革との間に収納する。
よって、ポケットタイプ機器は、携帯時に収納ケースに納められて体裁がよく、イヤホンを使用しないときは収納ケース正面または背面の収納部に巻き付けて収納するので、絡むことなく体裁よく整理できるというものである。
【０００４】
また、より素早い収納を目的としたコード及びイヤホン係止具が提案されている（特許文献２参照）。
このイヤホン係止具は、機器にコードを巻き付けてイヤホン側に近づいた際、コードを挿入案内部を経てコード挿入及び係止切れ込み部とコード挿入係止孔に挿入収納するようになっている。
これにより、コードとイヤホンとの絡みがなく、ポケットタイプ機器に装着状態でもかさばらず、しかも素早く収納しかつ再使用もできるというものである。
【先行技術文献】
【特許文献】
【０００５】
【特許文献１】実用新案登録第３１１３４６５号公報
【特許文献２】実用新案登録第３１５１３３２号公報
【考案の概要】
【考案が解決しようとする課題】
【０００６】
しかし、上記ポケットタイプ機器の収納ケースは、ケース本体にポケットタイプ機器を収納するので、ケース本体の形状が収納機器に限定され、異なるサイズの機器を収納できないという欠点があった。また、このケース本体は、機器収納が目的であり、アクセサリとしての機能を考慮していないので、携帯用具としての装飾性が乏しかった。
【０００７】
また、上記コード及びイヤホン係止具は、機器に直接コードを巻き付けるので、携帯時にコードがずれたり外れることがあり、体裁が悪くなる難点があった。また、コードが巻き付けられた機器の外観が損なわれるという欠点もあった。
【課題を解決するための手段】
【０００８】
本考案は、前記課題を解決するために、柔軟性を有した合成樹脂材により細長に一体形成されたホルダ本体を略中央で折り畳み自在にして一片側をコード巻付け部、他片側をキャラクタ表示部とし、少なくとも前記コード巻付け部内部に、このコード巻付け部よりも小サイズで硬質の板状芯体を収納すると共に、コード巻付け部の両側縁は柔軟性を保持して扁平に形成され、前記キャラクタ表示部にマスコット等を含むキャラクタを表示してなることを特徴としている。
【０００９】
また、請求項１に記載の構成に加えて、前記コード巻付け部の両側縁に、切れ込みを複数形成して前記コードを係止する係止溝を設けてもよい。
このような構成により、コード巻付け部にコードを巻き付けたとき、複数の係止溝にコードが係止され、コードがずれたり外れることなく着実に保持されるからである。
【００１０】
また、請求項１又は請求項２に記載の構成に加えて、前記キャラクタ表示部の外形を、前記キャラクタやマスコットの形状に模して形成してもよい。
このような構成により、キャラクタ表示部がキャラクタやマスコットに象られてアクセサリ機能を有するので、携帯用具としての装飾性が高められたコードホルダを提供することができるからである。
【００１１】
また、請求項１から請求項３のいずれかに記載の構成に加えて、前記キャラクタ表示部は、前記コード巻付け部に前記コードを巻き付け、前記ホルダ本体を折り畳んで両片を重ねたとき、巻き付けたコードの略全体を覆う大きさに形成してもよい。
このような構成により、前記キャラクタ表示部側を身体あるいは持ち物の前方に向けて携帯したとき、前記コード巻付け部のコードの略全体がキャラクタ表示部によって隠れ、コードが見えなくなって体裁が良くなるからである。
【考案の効果】
【００１２】
本考案によると、折り畳み自在とされたホルダ本体の一片側のコード巻付け部内に硬質の板状芯体を収納すると共に両側縁は柔軟性を保持して扁平に形成したので、コード巻付け部にコードを巻き付けたとき、柔軟性を有した両側縁にコードが食い込む状態となり、コードがずれたり外れることなく保持され、携帯時の体裁が良くなる。また、他片側のキャラクタ表示部にマスコット等を含むキャラクタを表示したので、コードホルダがアクセサリ機能を有し、携帯用具としての装飾性を高めることができる。
【００１３】
また、前記コード巻付け部の両側縁に、切れ込みを複数形成して前記コードを係止する係止溝を設けたので、コード巻付け部にコードを複数回巻き付けたとき、複数の係止溝にコードが係止され、コードホルダが激しく揺さぶられてもコードがずれたり外れることなく着実に保持される利点がある。
【００１４】
また、前記キャラクタ表示部の外形を、前記キャラクタやマスコットの形状に模して形成したので、キャラクタ表示部がキャラクやマスコットに象られてアクセサリ機能を有し、携帯用具としての装飾性が高められたコードホルダを提供することができる。
【００１５】
また、前記キャラクタ表示部は、前記コード巻付け部に前記コードを巻き付け、前記ホルダ本体を折り畳んで両片を重ね、前記キャラクタ表示部側を身体あるいは持ち物の前方に向けてコードホルダを携帯したとき、前記コード巻付け部のコードの略全体がキャラクタ表示部によって隠れ、巻き付けられたコードが見えなくなるので、コードホルダの体裁が良くなり、装飾性やアクセサリ機能も向上する。
【図面の簡単な説明】
【００１６】
【図１】コードホルダ１の正面図である。
【図２】コードホルダ１の背面図である。
【図３】図１のＡ‐Ａ線に沿った縦断面図である。
【図４】コードホルダ１を正面側から見た斜視図である。
【図５】コードが巻き付けられて折り畳まれたコードホルダ１の正面側からみた斜視図である。
【考案を実施するための形態】
【００１７】
以下、本考案について実施例に基づき更に詳細に説明する。
図１は本考案の一実施例を示すコードホルダの正面図であり、１はコードホルダであって、ホルダ本体２が二つに折り畳み自在となっており、一片がコード巻付け部３、他片がキャラクタ表示部４とされている。
【００１８】
ホルダ本体２は、図２、図３に示すように、細長の扁平な袋状で、ビニール等からなる柔軟性を有した合成樹脂材により一体形成されている。このホルダ本体２は、略中央の折り畳み箇所が両片３，４の連接部２ａとなっており、この連接部２ａの中央にイヤホンコード１１を挿通する挿通孔２ｂを形成している。
【００１９】
コード巻付け部３の内部には、図１、図３に示すように、このコード巻付け部３よりも小サイズで、硬質の合成樹脂材からなる板状芯体５が収納されている。また、このコード巻付け部３の左右両側縁３ｃ，３ｄは軟性を有した合成樹脂材により柔軟性を保持して扁平に形成されている。よって、イヤホンコード１１をコード巻付け部３に巻き付けたとき、その巻き付け箇所が凹んで食い込み、イヤホンコード１１が緩むことなく保持される。
【００２０】
また、この左右両側縁３ｃ，３ｄは、切り込みによって係止溝３ｅを複数形成してあり、コード巻付け部３にイヤホンコード１１を巻き付けたとき、凹凸状の両側縁３ｃ，３ｄにイヤホンコード１１が係止される。よって、コードホルダ１に振動が加えられたり、激しく揺さぶられても、イヤホンコード１１がずれたり外れることなく、より着実に保持される。
なお、このコード巻付け部３は、図１に示す如く表面３ａ側の一端２ｃ寄りに円形凹所３ｆを形成し、この凹所３ｆに受け具６を設けている。
【００２１】
前記キャラクタ表示部４は、外形を動物の頭部に象ることでキャラクタ１０を形成している。そして、前記コード巻付け部３の板状芯体５と同様に、キャラクタ表示部４の内部には、図３に示すようにキャラクタ表示部４よりも小サイズの板状芯体７を収納してある。
このキャラクタ表示部４は、板状芯体７を収納することにより、図４に示すように表面４ａ側が膨らみ、キャラクタ１０にボリュームを与えて立体感をもたせるようにしている。
【００２２】
ところで、このキャラクタ１０は、動物の他に各種のマスコットを用いることができる。これにより、コードホルダ１がアクセサリ機能を有し、携帯用具としての装飾性が高められるので、ユーザーにコードホルダ１の携帯を楽しくさせることができる。
【００２３】
また、このキャラクタ表示部４は、他端２ｄに止めバンド８を延設し、図２に示す如くこの止めバンド８の裏面側に止め具９を設けている。この止めバンド８は、ホルダ本体２を二つに折り畳み、コード巻付け部３とキャラクタ表示部４との裏面３ｂ，４ｂ側を相互に密接させて重ねたときに使用する。このときは、止めバンド８をコード巻付け部３の表面３ａ側に折り曲げて、その受け具６に止め具９を押しつける。すると、両者６，９が強く接合され、コード巻付け部３からキャラクタ表示部４が離間することなく保持される。
【００２４】
このように構成されたコードホルダ１は、図５に示すようにイヤホンコード１１をコード巻付け部３に巻き付けて使用する。この際は、イヤホンコード１１のプラグ１１ａ側を挿通孔２ｂに挿通して外方に引き出すことができる。
【００２５】
また、ホルダ本体２を二つ折りし、図５に示す如くコード巻付け部３とキャラクタ表示部４とを重ねてから、前記のように止めバンド８をコード巻付け部３の表面３ａ側に折り曲げ、その受け具６に止め具９を押しつけて係合する。
この結果、コード巻付け部３とキャラクタ表示部４との間に、イヤホンコード１１が収納されて、コードホルダ１にイヤホンコード１１が収納保持される。
【００２６】
このコードホルダ１は、イヤホンコード１１のプラグ１１ａ側を携帯型音楽再生機器のイヤホンジャックに差し込み、衣服の内ポケット等に入れる。そして、キャラクタ表示部４の表面４ａ側が身体の前方に向くようにして、一対のイヤホン１１ｂ，１１ｃを耳に挿入する。この際、イヤホンコード１１が、コードホルダ１の一端２ｃ側から立ち上がり、他端２ｄ側の中央から垂れ下がるので、コードホルダ１が略垂直に保たれる。
【００２７】
これにより、イヤホンコード１１が絡むことなくコードホルダ１が吊り下げられて、可愛いキャラクタ１０が身体の前に示される。よって、ユーザーは、イヤホン１１ｂ，１１ｃを使用するとき、常に趣のあるキャラクタ１０が表示されたコードホルダ１を身につけることができる。
このコードホルダ１は、図５に示したように、コード巻付け部３のイヤホンコード１１のほぼ全体がキャラクタ表示部４によって隠れ、巻き付けられたイヤホンコード１１が見えなくなるので、コードホルダ１の体裁が良くなる。
【００２８】
そして、イヤホン１１ｂ，１１ｃを使用しないときは、長いイヤホンコード１１をコード巻付け部３に巻き付けてコードホルダ１に収納すると、絡むことなく体裁良く整理することができる。
なお、このコードホルダ１は、携帯型音楽再生機器の携帯に伴って身につける場合について説明したが、カバンやバッグに携帯型音楽再生機器を収納するに応じて多様な使用が可能である。
【符号の説明】
【００２９】
１    コードホルダ
２    ホルダ本体
３    コード巻付け部
３ｃ  側縁
３ｄ  側縁
４    キャラクタ表示部
５    板状芯体
１０  キャラクタ
【図１】
0003162029.tif 000003
【図２】
0003162029.tif 000004
【図３】
0003162029.tif 000005
【図４】
0003162029.tif 000006
【図５】
0003162029.tif 000007